(57)【特許請求の範囲】
【請求項１】
直線状に並んだ複数の発光素子からなる発光素子配列を含み、前記発光素子配列が発する光により潜像を形成する潜像形成部と、
前記潜像形成部が発する光の絶対光量に関する指標値と、前記潜像形成部が発する光の空間周波数特性に関する指標値と、を測定して決定される、前記発光素子配列の光量に対する補正量を記憶する記憶部と、
前記潜像を形成する際に、前記各発光素子が発する光の光量を前記補正量に基づいて補正する光量補正手段と、
形成対象画像の入力値を補正する階調補正手段と、
を含み、
前記記憶部は、入力値に応じて再現される画像の階調の特性を示す階調再現特性情報を複数種類記憶するとともに、前記空間周波数特性に関する指標値に応じて決定される、前記複数種類の階調再現特性情報のうちの使用すべき階調再現特性情報を指定する指定情報を記憶し、
前記階調補正手段は、前記指定情報により指定される階調再現特性情報を用いて、前記形成対象画像の入力値を補正する、
ことを特徴とする画像形成装置。
【請求項２】
前記潜像を現像して得られる画像を記録媒体上に形成する画像形成部を有し、
前記空間周波数特性に関する指標値は、予め定められた空間的周期で点灯及び消灯を繰り返すように前記発光素子配列を発光させた際に測定される光量の最大値及び最小値を用いて算出された値である
ことを特徴とする請求項１に記載の画像形成装置。
【請求項３】
画像形成装置を制御するためのプログラムであって、
直線状に並んだ複数の発光素子からなる発光素子配列が発する光により潜像を形成する形成手段、
前記形成手段による光の絶対光量に関する指標値と、前記形成手段による光の空間周波数特性に関する指標値と、を測定して決定される、前記発光素子配列の光量に対する補正量を記憶部から読み出す手段、
前記潜像を形成する際に、前記各発光素子が発する光の光量を前記読み出した補正量に基づいて補正する光量補正手段、及び、
形成対象画像の入力値を補正する階調補正手段、としてコンピュータを機能させるためのプログラムであって、
前記記憶部は、入力値に応じて再現される画像の階調の特性を示す階調再現特性情報を複数種類記憶するとともに、前記空間周波数特性に関する指標値に応じて決定される、前記複数種類の階調再現特性情報のうちの使用すべき階調再現特性情報を指定する指定情報を記憶し、
前記階調補正手段は、前記指定情報により指定される階調再現特性情報を用いて、前記形成対象画像の入力値を補正する、
ことを特徴とするプログラム。
【発明の詳細な説明】
【技術分野】
【０００１】
本発明は、画像形成装置及びプログラムに関する。
【背景技術】
【０００２】
帯電させた感光体に光を照射して潜像を形成し、この潜像を現像して転写することによって紙などの記録媒体上に画像を形成する画像形成装置がある。この画像形成装置において、感光体に光を照射する露光装置としては、例えば発光ダイオード（ＬＥＤ）などの発光素子を直線状に複数個並べて構成した発光素子配列を用いるものが知られている。このような露光装置を用いた画像形成装置においては、個々の発光素子の発光／非発光を制御して発光素子配列を画像に合わせた態様で発光させることにより、感光体上に潜像を形成する。
【０００３】
上述した露光装置においては、その中に含まれる複数の発光素子の個体差などにより、形成画像に濃度むらや筋が生じるなどの問題を引き起こすことがある。そこで、このような問題を解消するために個々の発光素子の発光量を調整する技術が提案されている（例えば特許文献１，２及び３参照）。
【先行技術文献】
【特許文献】
【０００４】
【特許文献１】特開平８−１４２４０６号公報
【特許文献２】特開２００４−１４８６８８号公報
【特許文献３】特開２００１−１３８５６８号公報
【発明の概要】
【発明が解決しようとする課題】
【０００５】
本発明は、露光装置の個体差に応じて発光量を補正することのできる画像形成装置、及びその制御プログラムを提供することを目的とする。
【課題を解決するための手段】
【０００６】
請求項１に記載の発明は、直線状に並んだ複数の発光素子からなる発光素子配列を含み、前記発光素子配列が発する光により潜像を形成する潜像形成部と、前記潜像形成部が発する光の絶対光量に関する指標値と、前記潜像形成部が発する光の空間周波数特性に関する指標値と、を測定して決定される、前記発光素子配列の光量に対する補正量を記憶する記憶部と、前記潜像を形成する際に、前記各発光素子が発する光の光量を前記補正量に基づいて補正する光量補正手段と、を含むことを特徴とする画像形成装置である。
【０００７】
請求項２に記載の発明は、請求項１に記載の画像形成装置であって、前記潜像を現像して得られる画像を記録媒体上に形成する画像形成部を有し、前記空間周波数特性に関する指標値は、予め定められた空間的周期で点灯及び消灯を繰り返すように前記発光素子配列を発光させた際に測定される光量の最大値及び最小値を用いて算出された値であることを特徴とする。
【０００８】
請求項３に記載の発明は、請求項１又は２に記載の画像形成装置であって、前記記憶部は、入力値に応じて再現される画像の階調の特性を示す階調再現特性情報を複数種類記憶するとともに、前記空間周波数特性に関する指標値に応じて決定される、前記複数種類の階調再現特性情報のうちの使用すべき階調再現特性情報を指定する指定情報を記憶し、前記指定情報により指定される階調再現特性情報を用いて、形成対象画像の入力値を補正する階調補正手段をさらに含むことを特徴とする。
【０００９】
請求項４に記載の発明は、画像形成装置を制御するためのプログラムであって、直線状に並んだ複数の発光素子からなる発光素子配列が発する光により潜像を形成する形成手段、前記形成手段による光の絶対光量に関する指標値と、前記形成手段による光の空間周波数特性に関する指標値と、を測定して決定される、前記発光素子配列の光量に対する補正量を記憶部から読み出す手段、及び、前記潜像を形成する際に、前記各発光素子が発する光の光量を前記読み出した補正量に基づいて補正する光量補正手段、としてコンピュータを機能させるためのプログラムである。
【発明の効果】
【００１０】
請求項１及び４に記載の発明によれば、露光装置が備える発光素子配列全体の発光量を、露光装置の個体差、特に露光装置が発する光の空間周波数特性を考慮して調整できる。
【００１１】
請求項２に記載の発明によれば、露光装置が発する光の空間周波数特性に関する指標値を、実際に露光装置を周期的に発光制御させた測定結果に基づいて算出できる。
【００１２】
請求項３に記載の発明によれば、露光装置の空間周波数特性に応じて適切な階調補正を行うことができる。
【図面の簡単な説明】
【００１３】
【図１】本発明の実施の形態に係る画像形成装置の概略構成を表す構成図である。
【図２】露光装置の概略構成を表す構成図である。
【図３Ａ】露光装置が発する光の光エネルギー分布の一例を示す図である。
【図３Ｂ】露光装置が発する光の光エネルギー分布の別の例を示す図である。
【図４】補正量を決定する手順の一例を示すフロー図である。
【図５】絶対光量値と補正量の基準値との間の関係を示す図である。
【図６】ＭＴＦ値と補正量の修正値との間の関係を示す図である。
【図７】ＭＴＦ値の違いによる階調再現特性の違いを説明する図である。
【発明を実施するための形態】
【００１４】
以下、本発明の実施の形態について、図面に基づき詳細に説明する。
【００１５】
本発明の一実施形態に係る画像形成装置１は、記録媒体Ｐ（ここでは紙であるものとする）に画像を形成する装置であって、図１に示すように、給紙トレイ１０、画像形成部１１、制御部１９、及び記憶部２０を含んで構成されている。また、画像形成部１１は、４個の感光体１２、４個の帯電器１３、４個の露光装置１４、４個の現像器１５、中間転写体１６、転写部１７、及び定着部１８を含んで構成されている。
【００１６】
給紙トレイ１０から給紙された記録媒体Ｐは、図１において破線で示される媒体搬送経路に沿って搬送される。
【００１７】
感光体１２は、感光ドラム等であって、この感光体１２上にトナー等の色材からなる成分色画像が形成される。本実施形態に係る画像形成装置１は、イエロー（Ｙ）、マゼンタ（Ｍ）、シアン（Ｃ）、及びブラック（Ｋ）の４色のトナーを色材として用いることとし、これに対応して４個の感光体１２Ｙ、１２Ｍ、１２Ｃ及び１２Ｋを備えている。また、各感光体１２上に対応して帯電器１３、露光装置１４、及び現像器１５が配置されており、これらの各部によって感光体１２上に成分色画像が形成される。
【００１８】
具体的に、成分色画像を感光体１２上に形成する際には、まず帯電器１３が感光体１２を帯電させる。そして、帯電された感光体１２に対して露光装置１４が光を照射し、画像を形成したい箇所の電位を変化させる。これにより、感光体１２上に潜像が形成される。その後、感光体１２上の光が照射された箇所に現像器１５がトナーを付着させることによって、感光体１２上に形成されている潜像を現像する。このようにして、感光体１２上に単一の成分色からなる成分色画像が形成される。
【００１９】
図２は、露光装置１４の概略構成を示している。露光装置１４は、潜像形成部の一例であって、複数の発光素子３１が直線状に並んで構成された発光素子配列３２と、レンズアレイ３３と、を含んで構成されている。なお、図２において発光素子３１は紙面に垂直な方向（感光体１２の回転軸方向）に沿って直線状に並んでいる。発光素子３１は、例えば発光ダイオード（ＬＥＤ）などであってよい。感光体１２上に潜像を形成する際には、後述する制御部１９が、形成対象となる成分色画像内における各画素の濃度に応じて個々の発光素子３１の発光／非発光を制御する。発光素子３１から発せられた光はレンズアレイ３３によって感光体１２上に結像する。これにより、感光体１２上に形成しようとする成分色画像に対応する潜像が形成される。なお、各発光素子３１が発する光の光量は、制御部１９によって後述する補正量Ｄの値に応じて補正される。
【００２０】
中間転写体１６は転写ベルト等であって、感光体１２に形成された成分色画像がこの中間転写体１６に転写される。なお、図中における矢印は、画像形成時における中間転写体１６の回転方向を示している。ここでは具体例として、まずＹ成分色画像が感光体１２Ｙから中間転写体１６に転写され、その上に順にＭ成分色画像、Ｃ成分色画像、及びＫ成分色画像がそれぞれ感光体１２Ｍ、１２Ｃ及び１２Ｋから中間転写体１６に転写されることとする。この結果、中間転写体１６上には、Ｙ成分色画像、Ｍ成分色画像、Ｃ成分色画像、及びＫ成分色画像がこの順に重ね合わされてなる中間像が形成される。
【００２１】
転写部１７は、例えば転写ローラーを含んで構成され、中間転写体１６上に複数の成分色画像が積層されてなる中間像を、媒体搬送経路上を移動する記録媒体Ｐに転写する。
【００２２】
定着部１８は定着ローラー等を含んで構成され、転写部１７によって記録媒体Ｐに転写された画像を構成する色材を熱や圧力などによって記録媒体Ｐ上に定着させる。以上の各部によって、画像形成部１１は、複数の成分色からなるカラー画像を記録媒体Ｐ上に形成する。
【００２３】
制御部１９はＣＰＵ等であり、記憶部２０に格納されているプログラムに従って動作する。制御部１９は、画像形成部１１を構成する各部の動作を制御して、記録媒体Ｐ上に画像を形成する。
【００２４】
記憶部２０は、ＲＡＭや、ＮＶＲＡＭ（不揮発性ＲＡＭ）等を含んで構成される。記憶部２０には、制御部１９が実行するプログラムが格納される。また、記憶部２０は制御部１９のワークメモリとして動作する。
【００２５】
さらに、本実施形態において記憶部２０は、各発光素子３１の発光量に対する補正量Ｄのデータを記憶している。画像を形成する際には、制御部１９は、記憶部２０に記憶されている補正量Ｄのデータを読み出し、この補正量Ｄの値に応じて各発光素子３１の発光光量を制御する。これにより各発光素子３１は、画像データの内容に応じて決まる光量を補正量Ｄに応じて補正して得られる光量の光を感光体１２に対して照射する。
【００２６】
この補正量Ｄは、個々の画像形成装置１が備える発光素子配列３２の特性の違いを考慮して決定される。個々の発光素子配列３２の発光量には個体差があるので、このような個体差を考慮して決定した補正量Ｄを用いて補正しないと、個々の画像形成装置１によって露光量に差が生じてしまうからである。
【００２７】
補正量Ｄを決定する際には、発光素子配列３２全体の絶対光量（発光エネルギー）を考慮する必要がある。例えば絶対光量が他の発光素子配列３２より小さな発光素子配列３２については、正の補正量Ｄを用いて補正する。逆に他の発光素子配列３２より絶対光量が大きな発光素子配列３２については、負の補正量Ｄを用いて補正する。これにより、同じ画像データが入力された場合に、個々の画像形成装置１に設けられた発光素子配列３２が発する光の絶対光量に差が生じないようになる。
【００２８】
さらに本実施形態では、個々の発光素子配列３２について空間周波数特性に関する指標値を測定し、その測定結果も用いて補正量Ｄを決定する。これは、以下の理由によるものである。発光素子配列３２を予め定められた空間的周期で点灯及び消灯を繰り返すように発光させると、図３Ａ及び図３Ｂに例示するような光エネルギーの分布が得られる。ここで予め定められた空間的周期とは、例えば発光素子配列３２に含まれるＮ個の発光素子３１を点灯し、それに隣接するＮ個の発光素子３１は消灯するという発光パターンを繰り返す周期を指している。図３Ａ及び図３Ｂでは、２個の発光素子３１を点灯し、２個の発光素子３１を消灯する発光パターンを繰り返す例が示されている。なお、これらの図ではいずれも図中下段に発光素子配列３２の発光パターンが示されており、網掛けされた矩形が点灯した発光素子３１を、白抜きの矩形が消灯した発光素子３１を、それぞれ示している。
【００２９】
このような発光パターンで発光素子配列３２を発光させると、点灯するＮ個の発光素子３１の中心位置で光エネルギーがピーク値をとり、逆に消灯するＮ個の発光素子３１の中心位置でボトム値をとる。ここで、発光素子配列３２の特性の一つである絶対光量に関する指標値は、光エネルギー分布の積分値に相当するが、この絶対光量が同じであっても、光エネルギー分布には差が生じる場合がある。具体例として、図３Ａはピーク値とボトム値との差が大きい場合の光エネルギー分布を示しており、図３Ｂはピーク値とボトム値との差が小さい場合の光エネルギー分布を示している。図３Ｂでは、光エネルギーが大きい箇所と小さい箇所との間での差が小さく、コントラストが狭くなっている。そのため、消灯した発光素子３１に対応する位置では本来光エネルギーが小さくなることが望ましいが、図３Ｂでは、図３Ａの場合と比較してこのような位置にも相対的に大きな光量の光が照射されている。
【００３０】
ここで、実際に現像器１５による現像に用いられる光エネルギーは、露光装置１４により感光体１２に照射される光エネルギーの全部ではなく、一部に過ぎない。より具体的に、露光装置１４が発する光のうち、ある閾値Ｔｈを超える光エネルギーだけが現像器１５による現像に寄与することになる。なお、この閾値Ｔｈを超える光エネルギーは、図３Ａ及び図３Ｂにおいて斜線で示される範囲に対応している。この閾値Ｔｈは、現像器１５の現像バイアスや感光体１２の特性などに応じて決まる。そのため実際には、露光装置１４が発する光全体の絶対光量よりも、この閾値Ｔｈを超える光エネルギーが露光装置１４の個体差によらず一定になることが望ましい。ところが、図３Ｂのようにピーク値とボトム値との差が小さい光エネルギー分布を示す露光装置１４の場合、ボトム値が図３Ａと比較して大きなために全体の絶対光量は図３Ａと比較してそれほど変わらないが、図にも示されるように、閾値Ｔｈを超える光エネルギーは図３Ａと比較して小さくなってしまう。
【００３１】
そこで本実施形態では、露光装置１４の空間周波数特性に関する指標値を測定し、その測定結果を考慮して補正量Ｄを決定する。より具体的に、この空間周波数特性に関する指標値は、発光素子配列３２を予め定められた空間的周期で点灯及び消灯を繰り返すように発光させた場合に測定される光量（光エネルギー）の最大値Ｍａｘと最小値Ｍｉｎを用いて算出される。以下、この空間周波数特性に関する指標値をＭＴＦ値という。ＭＴＦ値は、例えば以下の計算式（１）により定義される。
ＭＴＦ＝（Ｍａｘ−Ｍｉｎ）／（Ｍａｘ＋Ｍｉｎ）  ・・・（１）
この式から明らかなように、ＭＴＦ値は、最大値Ｍａｘと最小値Ｍｉｎとの差が大きければ大きいほど大きな値となる。このＭＴＦ値が小さいと、たとえ絶対光量が大きくとも閾値Ｔｈを超える光エネルギーは相対的に小さくなると考えられるので、補正量Ｄをより大きくする必要がある。逆にＭＴＦ値が大きければ、絶対光量に比例して閾値Ｔｈを超える光エネルギーも大きくなると期待されるので、絶対光量を考慮して決定された補正量Ｄをそのまま使用すればよい。
【００３２】
以下、具体的な補正量Ｄの決定手順について、図４のフロー図を用いて説明する。
【００３３】
まず、露光装置１４を前述したような空間的周期で発光させ、その際における全体の絶対光量を測定する（Ｓ１）。この測定は、例えば光パワーメーターを用いて行われる。この場合の光パワーメーターは、熱変換型や光電変換型など、各種の方式のものであってよい。以下、このような方法で測定された露光装置１４全体の絶対光量の値を絶対光量値という。
【００３４】
次に、Ｓ１で得られた絶対光量値を用いて補正量Ｄの基準値を決定する（Ｓ２）。例えば図５に示すような関数を用いて補正量Ｄの基準値が決定される。この図の例では、絶対光量値と補正量Ｄの基準値との間には線形な関係が設定されており、絶対光量値が大きい露光装置１４の場合ほど補正量Ｄの基準値は小さくなる。
【００３５】
続いて、同じ露光装置１４をＳ１と同様の空間的周期で発光させ、そのＭＴＦ値を測定する（Ｓ３）。この測定は、例えば露光装置１４が発する光をＣＣＤカメラで撮像し、その撮像画像をスキャンすることによって行われる。すなわち、ＣＣＤカメラの撮像画像内における各画素の明度を集計するなどの手法によって、光エネルギーの最大値Ｍａｘと最小値Ｍｉｎとを測定し、前述した計算式（１）によりＭＴＦ値を算出する。なお、光エネルギーの最大値Ｍａｘは露光装置１４全体の光のうちの最も大きなピーク値であってもよいが、撮像画像を発光素子３１の配列方向に沿って複数のブロックに分割し、このブロックごとの最大値を求めてその平均値を算出し、最大値Ｍａｘとして用いてもよい。最小値Ｍｉｎも同様に、露光装置１４全体の最小値であってもよいし、ブロックごとの最小値の平均値であってもよい。
【００３６】
さらに、Ｓ３で得られたＭＴＦ値を用いて、補正量Ｄの修正値を決定し、決定した修正値をＳ２で決定された基準値に加算する修正を行う。これにより、修正された補正量Ｄの値が決定する（Ｓ４）。図６は、ＭＴＦ値に応じて補正量Ｄの修正値を決定する際に用いる関数の一例を示す図である。この図の例では、ＭＴＦ値が予め定められた境界値未満の間は、ＭＴＦ値が大きくなるにつれて修正値は単調減少しており、ＭＴＦ値が予め定められた境界値値以上のときには修正値が０になっている。つまり、ＭＴＦ値が予め定められた値以上であれば絶対光量値に応じて決定された補正量Ｄの基準値を修正しないでそのまま用いることになり、ＭＴＦ値が小さな場合には絶対光量値に応じて決定された補正量Ｄの基準値をさらに大きな値に修正することになる。
【００３７】
以上説明した手順による補正量Ｄの決定は、例えば露光装置１４の製造時に個々の露光装置１４について行われる。そして、決定された補正量Ｄの値は、当該補正量Ｄを決定する際に測定対象とした露光装置１４を搭載する画像形成装置１の記憶部２０に格納される。制御部１９は、画像形成の際に記憶部２０に記憶されている補正量Ｄの値を読み出して、その補正量Ｄに応じて各発光素子３１の発光量を補正する。より具体的に、制御部１９は、補正量Ｄが大きな値であればあるほど、各発光素子３１の発光量が大きくなるように発光量の補正を行う。これにより、個々の露光装置１４の発光特性の差によらず、どの画像形成装置１においても現像に寄与する光エネルギー（すなわち、閾値Ｔｈを超える光エネルギー）の大きさがあまり変わらないようになる。ここで制御部１９は、一つの補正量Ｄの値に応じて、発光素子配列３２に含まれる全ての発光素子３１に対して一律に同様の補正を行っている。これは、補正量Ｄが発光素子配列３２全体の個体差を補正するものであって、発光素子配列３２内の個々の発光素子３１のばらつきを補正する趣旨のものではないからである。
【００３８】
なお、以上の説明においては図６に示したような対応関係を用いてＭＴＦ値から補正量Ｄの修正値を決定することとしたが、補正量Ｄの修正値を決定する方法はこのようなものに限られない。具体的に、例えばＭＴＦ値が予め定められた値より大きいか否かによって修正値を決定してもよい。この場合の具体例として、ＭＴＦ値が予め定められた値より大きければ絶対光量値に基づいて定められた補正量Ｄの基準値をそのまま使用することとし、ＭＴＦ値が予め定められた値以下であれば絶対光量値に基づいて定められた補正量Ｄの基準値に対して予め定められた修正値を加算した値を補正量Ｄとして用いてもよい。
【００３９】
また、本実施形態に係る画像形成装置１は、形成対象画像の入力値に応じて再現される画像の階調の特性（階調再現特性）を示す階調再現特性情報を複数種類用意し、測定されたＭＴＦ値に応じて使い分けることとしてもよい。ここで階調再現特性は、例えば露光装置１４による露光面積率（カバレッジ）と実際に形成される画像の光学濃度との対応関係によって規定される。この階調再現特性は、露光装置１４のＭＴＦ値が異なるとそれに応じて異なる。例えば図７では、ＭＴＦ値が高い場合の階調再現特性が実線で、ＭＴＦ値が低い場合の階調再現特性が破線で、それぞれ示されている。このようにＭＴＦ値に依存して階調再現特性に変化が生じることから、本実施形態では、ＭＴＦ値の違いに応じて複数種類の階調再現特性情報を予め用意し、記憶部２０に格納しておく。また、併せて実際に当該画像形成装置１が備える露光装置１４のＭＴＦ値を測定して得られる測定結果に応じて決まるタグ情報を、記憶部２０に予め格納しておく。このタグ情報は、記憶部２０に格納されている複数種類の階調再現特性情報のうち、実際に使用すべき階調再現特性情報を指定する指定情報である。また、階調再現特性情報は、例えば形成対象画像の濃度（入力値）を露光装置１４の露光面積率の値に変換するルックアップテーブルやマーキングパラメータであってよい。
【００４０】
画像形成装置１が画像を形成する際には、制御部１９が、記憶部２０に格納されたタグ情報を読み出し、当該タグ情報によって指定される階調再現特性情報を記憶部２０に格納された複数種類の階調再現特性情報の中から選択する。そして、選択された階調再現特性情報を読み出し、当該読み出した階調再現特性情報に応じて形成対象の画像データに含まれる各画素の濃度（入力値）を補正する。そして、補正された値に応じて露光装置１４による露光面積率を制御するなどして、潜像の形成を行う。これにより、露光装置１４の空間周波数特性に応じて画像の階調が再現される。
【００４１】
一例として、高ＭＴＦ値用の第１階調再現特性情報と、低ＭＴＦ値用の第２階調再現特性情報とが記憶部２０に記憶されるものとする。また、露光装置１４の測定によって得られるＭＴＦ値が予め定められた境界値より高い場合には高ＭＴＦ値グループに属することを示す第１タグ情報が、逆にＭＴＦ値が予め定められた境界値以下の場合には低ＭＴＦ値グループに属することを示す第２タグ情報が、記憶部２０に記憶される。そして、制御部１９は、第１タグ情報が記憶されていれば第１階調再現特性情報を、第２タグ情報が記憶されていれば第２階調再現特性情報を、それぞれ使用して画像の形成を行う。
【００４２】
以上説明した本実施形態によれば、露光装置１４の絶対光量に関する指標値だけでなく、空間周波数特性に関する指標値を測定した結果得られる補正量を用いて光量の補正を行うので、露光装置１４が発する光のうち、実際に潜像の現像に寄与する光のエネルギーが露光装置１４の個体差によらず一定に近くなる。
【００４３】
なお、本発明の実施の形態は以上説明したものに限られない。例えば以上の説明では空間階調特性に関する指標値を光エネルギーの最大値Ｍａｘ及び最小値Ｍｉｎから前述した計算式（１）で求めることとしたが、これ以外の方法で算出してもよい。具体的に、この空間階調特性に関する指標値は、予め定められた空間的周期で発光素子３１が点灯及び消灯を繰り返す発光パターンで発光素子配列３２を発光させた際に、光エネルギーのピーク値とボトム値との差がどの程度大きいかを示す値であればよい。
【００４４】
また、画像形成部１１の構成は一例に過ぎない。本発明の実施の形態に係る画像形成装置は、直線状に並んだ複数の発光素子からなる発光素子配列を用いて感光体を露光させる画像形成部を備えていれば、どのような構成のものであってもよい。
【符号の説明】
【００４５】
１  画像形成装置、１０  給紙トレイ、１１  画像形成部、１２  感光体、１３  帯電器、１４  露光装置、１５  現像器、１６  中間転写体、１７  転写部、１８  定着部、１９  制御部、２０  記憶部、３１  発光素子、３２  発光素子配列、３３  レンズアレイ。
【図１】
0005910227.tif 000002
【図２】
0005910227.tif 000003
【図３Ａ】
0005910227.tif 000004
【図３Ｂ】
0005910227.tif 000005
【図４】
0005910227.tif 000006
【図５】
0005910227.tif 000007
【図６】
0005910227.tif 000008
【図７】
0005910227.tif 000009